(57)【特許請求の範囲】
【請求項１】
後装式武器のバレル内で弾丸を支持するための支持部材において、
縁フランジ（７）を有する支持要素（８）と、
弾丸（１）の尾端部（４）に所属する少なくとも一つの羽根（５）に前記支持要素（８）を固定するための手段と、を備え、
前記支持要素（８）を固定するための手段は、少なくとも一つの固定片（１０）を含み、
前記固定片（１０）は、
少なくとも一つの第一固定面（１４ａ）であって、前記羽根（５）の側部に実質的に平行に配置される第一固定面（１４ａ）と、
少なくとも一つの第二固定面（１４ｂ）であって、前記弾丸（１）の縦軸（Ｌ）を横断する方向で、前記第一固定面（１４ａ）に対して移動可能となるように、移動可能に配置された第二固定面（１４ｂ）と、
前記固定片（１０）と前記羽根（５）との間で摩擦ロックを提供するように、間に配置された羽根（５）の側部に対して前記固定面（１４ａ，１４ｂ）を押圧するための手段と、を含み、
前記固定面（１４ａ，１４ｂ）を押圧する手段は、第一固定面（１４ａ）と第一バネ手段とを有する第一アーム（１５ａ）を含み、
前記第一バネ手段は、前記固定片（１０）に配置された前記羽根（５）を前記第二固定片（１４ｂ）に対して押圧する力をもたらすように配置され、
前記第一バネ手段は、前記弾丸の別の羽根に固定された固定片（１０）のバネ手段に関して、独立して別々に作用するように配置され、
前記支持要素（８）は、端部（１６）と外部ケーシング（１２）とを含み、
前記外部ケーシング（１２）は環状であり、
前記外部ケーシング（１２）は前記端部（１６）から前記固定片（１０）が存在する側において前記端部（１６）の側部で延び、
環状の前記外部ケーシング（１２）は前記固定片（１０）を取り囲む、
ことを特徴とする支持部材（６）。
【請求項２】
前記固定片（１０）は、第二固定面（１４ｂ）を有する第二アーム（１５ｂ）を含み、
前記第二アーム（１５ｂ）は、前記固定片（１０）に配置された前記弾丸の羽根（５）を前記第一固定面（１４ａ）に対して押圧するように配置された第二バネ手段を有する、ことを特徴とする請求項１に記載の支持部材。
【請求項３】
支持部材を弾丸に固定するための方法において、
前記弾丸（１）の尾端部（４）に、縁フランジ（７）を有する支持要素（８）を含む支持部材（６）を固定することと、
前記支持部材（６）を、前記弾丸（１）の前記尾端部（４）に所属する複数の羽根（５）にロックすることと、
ロックするときに複数の固定片（１０）を用いることと、を備え、
前記固定片（１０）は、
少なくとも一つの第一固定面（１４ａ）であって、前記羽根（５）の側部に実質的に平行に配置される第一固定面（１４ａ）と、
少なくとも一つの第二固定面（１４ｂ）であって、前記弾丸（１）の縦軸（Ｌ）を横断する方向で、前記第一固定面（１４ａ）に対して移動可能となるように、移動可能に配置された第二固定面（１４ｂ）と、を含み、
間に配置された羽根（５）の側部に対して前記固定面（１４ａ，１４ｂ）を押圧することによって、前記固定片（１０）と前記羽根（５）との間で摩擦ロックを提供し、
第一バネ手段によって、前記第一固定面（１４ａ）と前記羽根（５）を、前記第二固定面（１４ｂ）に向かって押す力をもたらし、
前記第一バネ手段と前記第一固定面（１４ａ）が第一アーム（１５ａ）内に配置され、
前記第一バネ手段は、前記弾丸の別の羽根（５）に固定された固定片（１０）のバネ手段に関して、独立して別々に作用するように配置され、
前記支持要素（８）は、端部（１６）と外部ケーシング（１２）とを含み、
前記外部ケーシング（１２）は環状であり、
前記外部ケーシング（１２）は前記端部（１６）から前記固定片（１０）が存在する側において前記端部（１６）の側部で延び、
環状の前記外部ケーシング（１２）は前記固定片（１０）を取り囲む、
ことを特徴とする方法。
【発明の詳細な説明】
【技術分野】
【０００１】
本発明は、後装式武器のバレル内で弾丸を支持するための支持部材において、縁フランジを有する支持要素と、弾丸の尾端部に所属する少なくとも一つの羽根に支持要素を固定するための手段と、を備えた支持部材に関する。
【０００２】
本発明は、さらに、支持部材を弾丸に固定するための方法において、弾丸の尾端部に、縁フランジを有する支持要素を含む支持部材を固定することと、支持部材を、弾丸の尾端部に所属する少なくとも一つの羽根にロックすることと、を備えた方法にも関する。
【背景技術】
【０００３】
迫撃砲は、武装された乗物のような移動可能なプラットフォームに配置されてもよい。迫撃砲は、一つの場所から別の場所へ容易に移動され、他方、装置から安全な場所へ迅速に移動されてもよい。迫撃砲が水平または下方へ発射されると、弾丸が迫撃砲バレル内の所定の位置に留まらずバレル内で前方へ滑るかもしれないという事実から問題が生じ、その結果、もはや引き金が引くことができなくなる。米国特許5 503 080は、弾丸の尾端部内の羽根に摩擦を加えることによって、固定されうる支持部材を開示している。この公報によって教示される解決法は、少なくともかなり安定して機能することができるために、その適用が、弾丸の尾端部と支持部材それ自身の両方についてかなり正確な測定を要求するという問題を有している。
【発明の概要】
【発明が解決しようとする課題】
【０００４】
本発明の課題は、新しく改良された後装式武器のバレル内で弾丸を支持するための支持部材と、このような支持部材を固定するための方法を提供することにある。
【課題を解決するための手段】
【０００５】
本発明の支持部材は、
支持要素を固定するための手段が、少なくとも一つの固定片を含み、
固定片が、
少なくとも一つの第一固定面であって、羽根の側部に実質的に平行に配置され、固定片が支持要素に支持される、第一固定面と、
少なくとも一つの第二固定面であって、弾丸の縦軸を横断する方向で、第一固定面に対して移動可能となるように、移動可能に配置された第二固定面と、
固定片と羽根との間で摩擦ロックを提供するように、間に配置された羽根の側部に対して固定面を押圧するための手段と、を含む、ことを特徴とする。
【０００６】
本発明の方法は、
ロックするために、少なくとも一つの固定片を用い、
固定片は、
少なくとも一つの第一固定面であって、羽根の側部に実質的に平行に配置され、固定片が支持要素に支持される、第一固定面と、
少なくとも一つの第二固定面であって、弾丸の縦軸を横断する方向で、第一固定面に対して移動可能となるように、移動可能に配置された第二固定面と、を含み、
間に配置された羽根の側部に対して固定面を押圧することによって、固定片と羽根との間で摩擦ロックを提供する、
ことを特徴とする。
【０００７】
本発明は、互いに押圧する固定面によって、支持部材に弾丸をロックする概念に基づいている。本発明の利点は、ロックが、羽根や固定片の大きさについて、高い正確性を要求しないことにある。
【０００８】
本発明の実施の形態によれば、前記固定片は、第一固定面を有する第一アームを含み、第一アームは、固定片に配置された弾丸の羽根を第二固定片に対して押圧するように配置されたバネ手段を有する、別の選択として、前記固定片は、第二固定面を有する第二アームを含み、第二アームは、前記固定片に配置された弾丸の羽根を前記第一固定面に対して押圧するように配置された第二バネ手段を有する。これにおける利点は、固定片が簡単に製造され、固定するために道具が必要とされないことにある。
【０００９】
本発明の第２の実施の形態によれば、前記第一固定面は、前記弾丸の縦軸を横断するように配置されたシャフトによって第二固定面に対して枢動可能に固定された第一レバー部材に配置され、前記第一レバー部材は、開放状態で、該レバー手段が回転して、前記第一固定面が前記第二固定面から離れよう、該第一レバー部材から離れる前記シャフトの側部に配置された第二レバー部材を有し、前記固定面の間に配置された前記弾丸の前記羽根は、前記第二レバー手段を回転させるように配置され、後者に配置された前記第一レバー部材は、前記弾丸の前記羽根と反対に回転することで、前記固定片と前記羽根との間で摩擦ロックを生成する。これにおける利点は、固定するために道具が必要とされないことにある。
【００１０】
本発明の第３の実施の形態によれば、第一固定面は、第一フランジに固定された第一アームに配置され、前記第一フランジは、前記弾丸の縦軸を横断する面に配置され、前記第二固定面は、第二フランジに固定された第二アームに配置され、前記第二フランジは、前記第一フランジと平行で同軸になるように配置され、前記フランジは、面の方向で、互いに対して回転し、前記支持部材は、前記固定面が、その間に配置された前記羽根の側部を押圧するように、前記第一フランジに対して前記第二フランジを回転させる、ねじやくさび面などの手段をさらに備える、これにおける利点は、押圧力が容易に調整されることにある。
【００１１】
本発明の複数の実施の形態が、添付された図面でより詳細に記載される。
【図面の簡単な説明】
【００１２】
【図１】図１は、本発明の実施の形態による支持部材によって武器のバレル内に支持された弾丸の概略図である。
【図２】図２は、本発明の支持部材の複数の固定手段の概略的な斜視図である。
【図３】図３ａは、支持要素から分離された図２の固定手段を有する、本発明の支持要素の概略的な斜視図であり、図３ｂは、組み立てられた状態にあって弾丸に固定された図３ａの支持部材の概略図である。
【図４】図４ａは、弾丸の羽根を受けるための準備がされた第二支持部材の固定片の概略側方図であり、図４ｂは、弾丸の羽根が固定された図４ａの固定片の概略側方図である。
【図５】図５は、弾丸の方向から見た図４の支持部材の概略図である。
【図６】図６は、本発明の第三の支持部材の概略的な側方図である。
【図７】図７は、図６の支持部材の概略的な側方図である。
【発明を実施するための形態】
【００１３】
明確性のために、本発明の複数の実施の形態は、図面において、簡略化されている。同様の部分は、同様の参照番号で示されている。
【００１４】
図１は、本発明の実施の形態による支持部材によって武器のバレル内で支持された弾丸の概略図である。
【００１５】
弾丸１は、後装式武器のバレル２内に配置されている。武器は迫撃砲であってもよく、迫撃砲の内部では、バレルの内面が本質的に滑らかになっている。弾丸１の後部は、尾パイプ３と尾端部４とを有する。尾端部４は、一つまたは典型的には複数の羽根５を含み、羽根５は、弾丸１の飛行経路に影響を及ぼすために用いられる。弾丸１の構造は、詳細には、図面で示されたものとは異なってもよい。明確にするために、武器の銃尾やその他の詳細は示されていない。本発明の支持部材６は、弾丸１が発射されるまでバレル２内の所定位置で維持されるように、尾端部４に固定されている。支持部材６上の縁フランジ７は、バレル２が水平方向または下方に向けられたときでさえ、バレル２内で前方へ移動することを防止する。支持部材６は、弾丸１の重さによる負荷、並びに、輸送や弾丸の取り扱いの間に発生する振動および加速によるあらゆる力に耐えるだけの大きさからなっている。
【００１６】
図２は、本発明の支持部材の複数の固定片の斜視図を示す。総数４つの固定片１０が示され、それらは支持リング９に配置されている。支持リングは、支持リング９が支持要素８の中軸に配置されたスリーブ１３の外縁に設けられたねじ１７に固定されることを許容する雌ねじ１１を含む。支持要素８の構造は、図３ａおよび図３ｂを参照にしてより詳細に示されていることには注意されるべきである。
【００１７】
各固定片１０は、羽根５の側部と実質的に平行に配置された第一固定面１４ａを含む。また、各固定片１０は、羽根５の側部に実質的に平行に配置された第二固定面１４ｂを含む。
【００１８】
第一固定面１４ａは第一アーム１５ａに配置され、同様に、第二固定面１４ｂは第二アーム１５ｂに配置される。両アーム１５ａ，１５ｂは弾性材料からなり、アーム１５ａ，１５ｂは第一および第二バネ部材を形成する。
【００１９】
図３ａは、図２の固定手段が支持要素から分離された、本発明の支持部材の概略的な斜視図であり、図３ｂは、組み立てられた状態で弾丸に固定された、同じ支持部材を示す。
【００２０】
支持要素８は、端部１６と、外部ケーシング１２と、縁フランジ７とを含む。さらに、支持要素８の中軸Ａは、その外縁にねじ１７を有するスリーブ１３を有する。さらに、スリーブ１３の内には、中間発射ピンを含んでもよいトリガー機構１８が設けられている。武器の発射ピンは、中間発射ピンを通過して弾丸１の起爆キャップに当たり、弾丸１の実際の装薬を誘発するように配置されてもよい。当該技術分野で知られている別のトリガー機構も当然に用いられてもよい。スリーブ１３の内径は、トリガー機構１８がスリーブ１３内に分離可能にねじ止めされるためのねじを有してもよい。支持要素８の外部ケーシング１２は、弾丸１の尾端部４の少なくとも一部がそこにセットされる大きさであってもよい。また、武器のバレル２は、支持要素６を有する弾丸１がバレル２内に装着されるときに、支持要素８の縁フランジ７が内部にセットされるように溝を有してもよい。
【００２１】
固定片１０は羽根５に固定される。羽根５が固定面１４ａ，１４ｂの間に配置されるとき、羽根５はアーム１５ａ，１５ｂを曲げ、固定面１４ａ，１４ｂは互いに離れる。第二固定面１４ｂは、弾丸１の縦軸Ａを横断する方向で、第一固定面１４ａに対して移動可能に配置されている。アーム１５ａ，１５ｂは、テンションがかからない状態に向かって互いに近くに戻る傾向がある。このことは、固定面１４ａ，１４ｂを羽根５の側部に対して押圧する力を引き起こす。このようにして、摩擦ロックが固定面１４ａ，１４ｂと羽根５との間に生成される。この装置の利点の一つは、ロックが、羽根５と固定片１０の製造正確性に関して、それほど敏感でないことである。
【００２２】
本発明の第２の実施の形態によれば、アーム１５ａ，１５ｂの一つだけが曲げられ、他の一つは実質的に固定される。すなわち、例えば、第一アーム１５ａだけが弾性材料を含み、第二アーム１５ｂは弾性材料を含まない。
【００２３】
弾性材料を実施させる別の方法もある。例えば、第一または第二アーム１５ａ，１５ｂは、支持部材９に分離されたバネを有してそこに取り付けられた接合部によって取り付けられてもよく、バネの力が羽根５の側面に対して固定面を押圧する。
【００２４】
固定材料１０とそのバネ材料は、一方で必要な固定力に耐えるが、他方で発射が起こると支持部材６から弾丸１が離れるような大きさとなっている。固定片１０は好ましくは再利用可能となっている。
【００２５】
支持部材は、例えば図３ａおよび図３ｂに示されるように取り付けられてもよく、すなわち、固定片１０と支持リング９が弾丸１にまず取り付けられる。次に、支持要素８が支持リング９にねじ止めされる。まず支持要素８が支持リング９に取り付けられて、その後に弾丸１の羽根５が固定片１０に配置されても当然よい。
【００２６】
図４ａは、弾丸の羽根を受けるための準備がされた状態にある、本発明の第二支持部材の固定片の概略側方図であり、図４ｂは、弾丸の羽根が図４ａの固定片に固定された概略側方図である。
【００２７】
固定片１０は二つの固定面を含み、第一固定面１４ａが第一レバー部材１９に配置されている。
【００２８】
第一レバー部材１９は、弾丸の縦軸を横断して配置されたシャフト２０によって、第一アーム１５ａに枢動可能に固定されている。図面を簡略化するために、第一アームは、図４ａおよび図４ｂで、破線で示されている。同様に、第二固定面１４ｂは第二アーム１５ｂに配置されている。第一および第二アーム１５ａ，１５ｂの両方はベース２３に固定され、次に、このベース２３は支持要素８に固定されてもよい。当然、アーム１５ａ，１５ｂとベース２３が一体成形となっていることも可能である。
【００２９】
第一レバー手段１９は、シャフト２１の側方に配置され、第一レバー手段１９から見て外方に向く第二レバー手段２１を有する。第一および第二レバー手段１９，２１は一体成形となってもよいが、一緒に配置された分離された部分からなってよい。第一レバー手段１９による回転力は、第二レバー手段２１の回転力よりもかなり大きくなっている。このため、解放された状態においては、レバー部材が、次に矢印Ｂの方向で回転されて、図４ａに示された位置に位置づけられる。この場合、第一固定面１４ａは第二固定面１４ｂから離れるように回転する。
【００３０】
弾丸の羽根５がアーム１５ａ，１５ｂの間のスペース２２内に押されると、羽根５は第二レバー部材２１を側部で押す。従って、レバー部材１９，２１が、羽根５の力で、矢印Ｃの方向に回転する。第一レバー部材が弾丸の羽根５に向かって回転し、固定面１４ａ、１４ｂと羽根５との間の摩擦ロックを引き起こす。
【００３１】
弾丸が発射されると、固定面１４ａ、１４ｂと羽根５との間の摩擦力が超過され、弾丸が固定片１０から離れる。固定片１０は羽根５を痛めず、発射の間、発射片は羽根５から剥がれない。
【００３２】
固定片１０の一部は、例えば、表面硬化スチールから製造されてもよい。固定片１０は再利用可能となっていることが好ましい。
【００３３】
図５は、支持部材に配置された、図４ａおよび図４ｂの固定片を弾丸の方向から見た概略図である。弾丸の羽根５だけが示され、この場合、羽根５の数は８である。支持部材６は、全ての羽根５が分離された固定片１０に配置されるように、複数の固定片１０を含む。
【００３４】
固定片１０は、例えばねじまたは開けられる別の同様の固定材料によって、または、溶接、または、別の開閉不可能な固定手段によって、支持部材６に固定されてもよい。
【００３５】
図６は本発明の第三の支持部材の概略的で部分的な横断面側方図である。図６および図７において、支持部材６と弾丸１は部分的にしか示されていないことには注意されるべきである、
【００３６】
支持部材６の第一固定面１４ａは、第一アーム１５ａに配置され、この第一アーム１５ａは、次に、第一フランジ２４ａに固定されている。第一フランジ２４ａは、弾丸１の縦軸Ａに対して平面で横断して配置されている。第一フランジ２４ａは、支持要素８に固定されている。この場合、雌ねじ１１を通過するねじ７がスリーブ１３の外面に配置されている。当然、固定を実施するための他の方法もある。
【００３７】
支持部材６の第二固定面１４ｂは、第二アーム１５ｂに配置され、第二アーム１５ｂは、次に、第二フランジ２４ｂに固定されている。第二フランジ２４ｂは、第一フランジ２４ａに平行に配置されるとともに、第一フランジ２４ａが部分的に配置される開口を含む。第二フランジ２４ｂは、フランジ２４ａ，２４ｂの面方向で、第一フランジ２４ａに対してスリーブ１３の周りを回転されてもよい。
【００３８】
弾丸１は、羽根５がアーム１５ａ，１５ｂの間に配置され、それゆえ、固定面１４ａ，１４ｂの間に配置されるように、支持部材６に配置される。羽根５の逆側にあるため、固定面１４ｂを有する第二アーム１５ｂは、図６において破線で示されている。
【００３９】
図７は、図６の固定片の概略的で部分的な横断面側方図である。図７は、図６の図に対して９０°回転された図を示す。図で示されるように、第一アーム１５ａと第一固定面１４ａは羽根５の第一側方にあり、第二アーム１５ｂと第二固定面１４ｂは、羽根の第二側方にある。そして、羽根５はこれらの部分の間にある。
【００４０】
支持部材６は、第一フランジ２４ａ、第一アーム１５ａおよびそこに配置された第一固定面１４ａに対して、第二フランジ２４ｂ、第二アーム１５ｂおよびそこに配置された第二固定面１４ｂを回転されるための手段を含み、固定面１４ａ，１４ｂは、その間に配置された羽根５の側部に対して押圧されてもよい。図６および図７に示された実施の形態において、前記手段は、第一フランジを横断するねじ孔に配置されたねじ２５を含む。第二フランジ２４ｂはくさび凹部２６を有し、このくさび凹部２６は、ねじ２５がくさび凹部２６のくさび面２７に対して回転可能となるように、ねじ２５に対して配置される。くさび面２７に対してねじ締められたねじ２５は、第二フランジ２４ｂを第一フランジ２４ａに対して回転させるようにし、その結果、固定面１４ａ，１４ｂは互いに近づく。固定面１４ａ、１４ｂはこのように押圧され、羽根５の側部に対してしっかりと固定されてもよい。ねじ２５の締め付けトルクの大きさは、羽根５に働く摩擦力に作用するよう用いられる。支持部材６は、一つ、好ましくは２つ、３つまたはさらに多くのねじ２５と、必要な数のくさび凹部２６を含んでもよい。発射するとき、弾丸１は、弾丸１とともに支持部材６の破片が剥がれないで、支持部材６から離れる。支持部材６は好ましくは再利用される。
【００４１】
互いに対してフランジ２４ａ，２４ｂをねじ締めおよびロックする別の方法もあることは注意されるべきである。
【００４２】
場合によっては、本願の特徴は、残りの特徴と無関係に、独立して用いられてもよい。他方、本願で示された特徴は、必要ならば、異なる組み合わせを提供するように組み合わされてもよい。
【００４３】
図面と関連する明細書は、発明の概念を示すためだけの手段である。本発明の詳細は、請求項の範囲内で変えてもよい。固定片の数は、要求される固定力と羽根５の数に従って選択されてもよいことは明白である。固定面１４ａ，１４ｂは、対応するアーム１５ａ，１５ｂと同じ材料、または、摩擦や他の特徴が摩擦ロックに適した別の材料からなってもよいことは明白である。固定面１４ａ，１４ｂの表面は、滑らかなものでもよいし、その代わりに、固定面が羽根５に対する研磨材料として機能する程度まで、例えば溝や粗されることで、適切に加工されてもよい。固定片１０は、切断して曲げることによって金属シートから作られてもよい。また、金属を成型して作られてもよい。また、固定片１０は、例えば、射出成型することでプラスチック材料から作られてもよいし、複合材料から作られてもよい。
【図１】
0005425811.tif 000002
【図２】
0005425811.tif 000003
【図３ａ】
0005425811.tif 000004
【図３ｂ】
0005425811.tif 000005
【図４ａ】
0005425811.tif 000006
【図４ｂ】
0005425811.tif 000007
【図５】
0005425811.tif 000008
【図６】
0005425811.tif 000009
【図７】
0005425811.tif 000010